(57)【要約】【課題】携帯機器と接続装置とで部品の重複を少なくした携帯機器システムを提供することを課題とする。【解決手段】携帯機器と、携帯機器に着脱可能な接続装置とを有する携帯機器システムであって、携帯機器は、電池と、外部電源又は電池から電圧供給を受けて電圧を生成する電源回路と、信号の制御を行う制御回路とを有し、接続装置は、外部から供給される信号を入力する信号入力手段を有し、携帯機器及び接続装置が接続されているときには、携帯機器内の電源回路は、携帯機器内の制御回路及び接続装置内の信号入力手段に電圧を供給し、制御回路は信号入力手段が入力する信号の制御を行い、携帯機器が接続装置に接続されていないときには、携帯機器内の電源回路は、携帯機器内の制御回路に電圧を供給し、制御回路は信号の制御を行う。【選択図】        図１
2004153443.tif 000002
【特許請求の範囲】
【請求項１】
携帯機器と、前記携帯機器に着脱可能な接続装置とを有する携帯機器システムであって、
前記携帯機器は、
電池と、
外部電源又は前記電池から電圧供給を受けて電圧を生成する電源回路と、
信号の制御を行う制御回路とを有し、
前記接続装置は、
外部から供給される信号を入力する信号入力手段を有し、
前記携帯機器及び前記接続装置が接続されているときには、前記携帯機器内の電源回路は、前記携帯機器内の制御回路及び前記接続装置内の信号入力手段に電圧を供給し、前記制御回路は前記信号入力手段が入力する信号の制御を行い、
前記携帯機器が前記接続装置に接続されていないときには、前記携帯機器内の電源回路は、前記携帯機器内の制御回路に電圧を供給し、前記制御回路は信号の制御を行うことを特徴とする携帯機器システム。
【発明の詳細な説明】
【０００１】
【発明の属する技術分野】
本発明は、例えば動画像の再生等を行う携帯機器と、携帯機器に装着することにより、例えば動画像の録画等を可能にする接続装置とを有する携帯機器システムに関する。
【０００２】
【従来の技術】
従来の携帯型ビデオカメラ・デッキは、記憶媒体が磁気テープであること及び、光学系の機構を有しているために、たとえばポケットやハンドバックに入れて常時持ち歩くにはサイズ的にも重量的にも大きくかつ重たいものである。
【０００３】
近年のＰＤＡにおいて、専用の録画ユニットで映像を圧縮して、記憶メディア（たとえばＣＦカード）に記憶し、ＰＤＡ上で再生可能としているものがある。ＰＤＡ（携帯情報端末）は常時持ち歩くのに適したサイズである。
【０００４】
図５は従来のＰＤＡ及び録画ユニットの一例を示すブロック図である。図においてＢ１００はＣＦカード（コンパクトフラッシュ（Ｒ）カード）であり、大容量の半導体メモリカードである。Ｂ１０１はＰＤＡ（携帯情報端末）であり、内蔵のメモリＢ１０４に電話帳やスケジュールの管理などを行うと共にＣＦカードコネクタＢ１０２を具備している。
【０００５】
挿入されたＣＦカードＢ１００に記憶されている圧縮映像コンテンツを映像伸長回路Ｂ１０５により伸長処理し、制御回路Ｂ１０３の制御により、ＬＣＤ表示器Ｂ１０６に映像コンテンツを表示する。映像伸長回路Ｂ１０５により伸長処理を行うときに、バッファメモリＢ１１３はデータの一時記憶手段として使用される。タッチパネルＢ１０７は対話形式で処理内容をユーザが入力する入力手段である。また各部の素子に適正な電圧を供給する電源回路Ｂ１０８及び、リチウム電池などの電池Ｂ１０９を具備している。Ｂ１１２は電池に充電するためのチャージャである。
【０００６】
Ｂ１２０は録画ユニットであり、放送映像の入力端子Ｂ１２６を持ち、ＡＤコンバータＢ１２５にてアナログ情報をデジタル化する。そして、映像圧縮回路Ｂ１２４にて圧縮処理し制御回路Ｂ１２２の制御により、ＣＦカードコネクタＢ１２１に挿入されているＣＦカードに圧縮データを記憶する。これによりＣＦカードには放送映像を圧縮処理したコンテンツが記憶されることとなり、記憶済みのＣＦカードＢ１００を抜いて、ＰＤＡのＣＦカードコネクタＢ１０２に挿入することにより、記憶した映像コンテンツの再生が可能となる。
【０００７】
バッファメモリＢ１２３は映像圧縮回路Ｂ１２４にて圧縮処理を行う際に一時記憶手段として使用される。Ｂ１２９はキーボードであり、放送映像を録画する場合の録画キーなどを配設している。Ｂ１３０は表示器であり、エラーメッセージや録画経過時間などを表示する。Ｂ１２７は電源回路であり、電源コードＢ１２８から供給されたＡＣ電圧を低電圧のＤＣ電圧に変換し、録画装置Ｂ１２０の各素子に適正な電圧を供給している。
【０００８】
従来技術としては、図５に示した従来例だけでなく下記の特許文献１〜４などがある。
【０００９】
【特許文献１】
特開平７−２０３３４８号公報
【特許文献２】
特開平１０−１４５８１０号公報
【特許文献３】
特開２０００−３３２６３７号公報
【特許文献４】
特開２０００−３４０３０６号公報
【００１０】
【発明が解決しようとする課題】
図５に示した従来例において、制御回路、バッファメモリ、電源回路、表示器などがＢ１０１の本体ＰＤＡと録画ユニットＢ１２０に重複して配設されている。Ｂ１０１のＰＤＡを軽く小型にするため、録画に関する部品を録画ユニットに配設するようにしているが、部品が重複することにより、その分コストアップになってしまっている。
【００１１】
本発明では、図５に示したような従来例での重複部分が多いことを課題としている。
また、図５の従来例では本体ＰＤＡには映像伸長回路Ｂ１０５が、録画ユニットＢ１２０には映像圧縮回路Ｂ１２４が具備されている。この映像伸長回路と映像圧縮回路においては共通で処理可能な部分が多くあり、また両方の回路において、通常集積回路のひとつであるＤＳＰ（デジタルシグナルプロセッサ）が使用されている。このＤＳＰは高価なもので、本体ＰＤＡと録画ユニットにそれぞれ配設すると、やはり部品の重複となりコストアップになる課題がある。
【００１２】
ところで、この出願の発明者は、持ち運び可能なＰＤＡなどの携帯機器は、その可搬性により映像を再生するのは、昼間持ち歩いて電車の中などで行い、映像を録画するのは自宅での夕方の番組や夜間に行うことが多いといる事実に着目した。
【００１３】
本発明は、上述した課題及び事実を考慮してなされたものであり、課題である部品の重複を少なくし、また昼間持ち歩く装置である携帯機器を小型軽量化することを第１の目的とする。
【００１４】
図５に示した従来例では、録画ユニットＢ１２０には電源コードＢ１２８からＡＣ電源が供給されており、録画状態以外のときも電源回路Ｂ１２７にて各素子に必要な適正電圧を供給している。本来録画状態以外では各素子は電源供給が必要ないにもかかわらず、供給されているために録画ユニットＢ１２０では常に一定以上の消費電力を消費している。
【００１５】
本発明は、この録画のためのユニットにおいて、常時一定以上の消費電力がかかることを課題とし、録画ユニットの消費電力、特にスタンバイ時の消費電力低減を図ることを第２の目的としている。
【００１６】
また図５に示した従来例では、録画ユニットＢ１２０には電池を内蔵してなく、従って録画中に、操作者の不注意によりＡＣ電源を供給する電源コードＢ１２８を抜き取った場合は、即座に録画処理が中断されてしまうこととなる。
【００１７】
本発明は、電源コードが不注意により抜き取られた場合の、録画処理に与える不都合を解消することを第３の目的としている。
【００１８】
また図５において録画しようとすると、ＰＤＡからＣＦカードを取り出し、録画ユニットに装着して、録画ユニットＢ１２０のキーボード上にある録画キーを押し、録画し、録画終了後、ＣＦカードを録画ユニットＢ１２０からとりだして、ＰＤＡに差し込まなければならなかった。この操作を毎日のようにやるとなると非常に煩わしい操作であり、本発明においてはこの煩わしさを軽減することを第４の目的としている。
【００１９】
他の従来例として、上記の特許文献１では動画像を記憶するランダムアクセス可能な大容量メモリと、動画像を表示するディスプレイと、装置を操作するパネルと、外部から映像／音声機器を接続する端子を有する携帯型動画記録再生装置を提案している。しかしながらこの従来例における装置では外部からの映像／音声機器を接続するようになっており、その例としてはビデオカメラ、ＶＴＲデッキ、となっている。このため再生時には必要のないＡＤ変換器を携帯型動画記録再生装置に具備する必要を記載しており、第１の目的である、携帯型動画記録再生装置の小型軽量化を追求しているものにはなっていない。
【００２０】
上記の特許文献２においても、同様に装置内に再生時に必要のない、ＡＤ変換器を設けるようにしており、第１の目的である小型軽量化を追求するものになっていない。
【００２１】
上記の特許文献３においては、充電装置にデータ受信回路を持ち、携帯端末に充電装置が装着されると、外部から受信されたデータが携帯端末に記憶される受信システムを提案している。この従来例では携帯端末に二次電池を持ちその充電回路を充電装置に具備していることを特徴としており、昼間持ち歩く装置である携帯再生ユニットの小型軽量化することについては言及しているが、電源回路やマイクロコンピュータなどの重複している実施例にて説明しており、第１の目的のひとつである、素子の重複をしないようにする工夫については言及していない。
【００２２】
上記の特許文献４においては、通信ケーブルプラグがリセプタクルから抜かれていることを検知して、通信回路部がパワーダウンモードになる電子機器を提案している。しかしながら、この従来例では、第２の目的である、録画ユニットの消費電力の軽減については言及していない。また第３の目的である録画処理に与える不都合を解消するには不十分な提案である。
【００２３】
【課題を解決するための手段】
本発明の一観点によれば、携帯機器と、前記携帯機器に着脱可能な接続装置とを有する携帯機器システムであって、前記携帯機器は、電池と、外部電源又は前記電池から電圧供給を受けて電圧を生成する電源回路と、信号の制御を行う制御回路とを有し、前記接続装置は、外部から供給される信号を入力する信号入力手段を有し、前記携帯機器及び前記接続装置が接続されているときには、前記携帯機器内の電源回路は、前記携帯機器内の制御回路及び前記接続装置内の信号入力手段に電圧を供給し、前記制御回路は前記信号入力手段が入力する信号の制御を行い、前記携帯機器が前記接続装置に接続されていないときには、前記携帯機器内の電源回路は、前記携帯機器内の制御回路に電圧を供給し、前記制御回路は信号の制御を行うことを特徴とする携帯機器システムが提供される。
【００２４】
本発明によれば、電源回路を携帯機器にのみ具備することが可能となり、部品の重複を少なくできる。また、接続装置における非動作時の消費電力の軽減が可能となる。
【００２５】
【発明の実施の形態】
（第１の実施形態）
以下図面と共に本発明の第１の実施形態を説明する
図２は携帯映像装置と録画ユニットであるクレードルの接続形態を示す模式図である。図においてＢ１は携帯映像装置であり、メモリカードの一種類であるＣＦカードＢ３を装着するスロットを具備し、キーボードＢ１２の再生キーを押すことにより、内部回路の回路を駆動開始し、ＣＦカードＢ３に記憶されている圧縮された映像を伸長して、表示器Ｂ１１に映像として表示するようにしている。
【００２６】
キーボードＢ１２上の設定キーは映像録画時におけるチャンネル設定、録画開始・終了時間などを設定するためのキーである。「＜＜」、「＜」、「＞」、「＞＞」キーは映像情報の再生時に巻戻し及び早送りを実行する。また録画に先立ち、チャンネル設定を行う際、その選局を行うキーとしても使用する。
【００２７】
Ｂ１３はクレードルＢ２との接続のためのコネクタである。Ｂ２１はチャージャＢ２５により作られたＤＣ電源を、クレードルＢ２の電源端子Ｂ３９を介して受け取るリセプタクルである。携帯映像装置Ｂ１及びクレードルＢ２は、相互に着脱可能である。
【００２８】
クレードルＢ２において、アンテナ端子Ｂ３６からのＶＨＦ，ＵＨＦなどの地上波信号を、同軸ケーブルＢ３５を介して受け取るコネクタＢ３７を具備し、携帯映像装置Ｂ１からの指令により、内部回路のチューナなどの回路を能動にして、選局＞増幅＞検波を行なう。また得られた映像アナログ信号をデジタル化して本体の携帯映像装置Ｂ１に伝達する。Ｂ３８はその伝達のためのコネクタである。
【００２９】
Ｂ２５はチャージャであり、供給されるＡＣ電源を低電圧のＤＣ電源に変換して、クレードルの電源端子Ｂ２７にジャックＢ２６を接続して、ＤＣ電源を供給する。またチャージャＢ２５は図に示すように、クレードルＢ２に接続できると共に、携帯映像装置Ｂ１のリセプタクルＢ２１にも接続可能であり、チャージャＢ２５を用いて長時間の映像再生も可能である。
【００３０】
図１は本実施形態における携帯映像装置Ｂ１およびクレードルＢ２のブロック図を示している。図において表示器Ｂ１１は映像やメッセージを表示する液晶表示器（ＬＣＤ）である。バックライト回路Ｂ２３は、液晶表示器Ｂ１１の背面に位置し、映像を明るく見せるために映像再生時にＬＥＤまたは蛍光管を点灯させる回路である。後述する制御回路Ｂ１５により制御され、再生時には自動的に点灯し、クレードルＢ２を接続して録画処理を行うときは点灯しないように制御される。
【００３１】
ＣＦカードＢ３は、ＣＦカードコネクタＢ１３に接続可能となっている。映像の再生時には、ＣＦカードＢ３に記憶されている圧縮映像データを、Ｂ１４の動画エンコーダ／デコーダにて、圧縮映像データの伸長処理が行ない、表示器Ｂ１１に映像表示する。
【００３２】
また、映像録画するときは、クレードルＢ２からの圧縮されていない映像デジタル信号を動画エンコーダ／デコーダＢ１４にて受信し、ＭＰＥＧ４の圧縮技術に従った処理を実行し、ＣＦカードＢ３に圧縮データを記憶する。ＭＰＥＧ４は国際標準規格における動画圧縮技術のひとつであり、フレーム間圧縮等により動画データを数十分の一の記憶容量に圧縮可能な技術である。
【００３３】
メモリＢ２４は変数や制御フラグなどを記憶すると共に、動画再生時や録画時のバッファメモリ等に使用される。キーボードＢ１２上には図２と共に説明したキーが配設されており、ユーザによりキーが押されると、キー信号を発生し制御回路Ｂ１５に伝達する。
【００３４】
制御回路Ｂ１５はＣＰＵやＲＯＭ、ＲＡＭなどの素子で構成されており、キー操作及び検出回路の検出内容に応じた制御を行うための回路である。たとえば再生キーが押されると、動画エンコーダ／デコーダＢ１４を能動にして伸長処理を実行する。
【００３５】
また、制御回路Ｂ１５は、クレードルＢ２が接続されたことを、クレードル検出端子Ｂ２０で検出して、録画の実行を行うかどうかの判別処理を行い、その結果により録画処理の制御を行う。
【００３６】
クレードル検出端子Ｂ２０は、携帯映像装置Ｂ１が携帯され、クレードルが接続されていないときは、抵抗Ｂ２２を介してＶＤＤの電圧となっており、論理的に“１”レベルが制御回路Ｂ１５に供給される。クレードルＢ２に接続されていると、コネクタＢ１３およびＢ３８を介してＧＮＤレベルに接続され、論理的に“０”レベルが制御回路Ｂ１５に供給される。
【００３７】
また、制御回路Ｂ１５は録画時に、地上波のチャンネルの指定を行う信号を発生し、クレードルＢ２内のチューナＢ３３へ供給する。制御回路Ｂ１５に含まれるタイマーＢ２９は、録画中に外部電源がチャージャＢ２５から供給されなくなったことを検出して、カウントスタートする。なお、タイマーの制御については図４のフローチャートと共に詳細説明する。
【００３８】
Ｂ１９は電源回路であり、チャージャＢ２５から、あるいは電池Ｂ１８からの電圧供給を受け、携帯映像装置Ｂ１内の素子に最適な電圧の供給を行う。Ｂ１８はリチウムイオン電池などの充電可能な二次電池であり、チャージャＢ２５の電圧が電源回路Ｂ１９に供給されているときは、電源回路Ｂ１９内の充電回路により充電され、携帯映像装置Ｂ１を携帯して映像の再生をしているときなど、チャージャＢ２５の電圧が電源回路Ｂ１９に供給されていないときは、電源回路Ｂ１９に電池電圧を供給している。
【００３９】
Ｂ１７はチャージャＢ２５の電圧が、リセプタクルＢ２１を介して、電源回路Ｂ１９に供給されているかどうかを検出している外部電源検出回路であり、制御回路Ｂ１５に検出結果を伝達する。制御回路Ｂ１５はその検出結果に基づき、録画の実行を行うかどうかの判別を行う。
【００４０】
電源供給回路Ｂ１６は、キーボードＢ１２の録画キーが押され、クレードルＢ２が接続されており、かつ外部電源検出回路Ｂ１７の検出結果により外部電源が検出されているときに、クレードルＢ２に必要な電圧を供給するための回路である。
【００４１】
クレードルＢ２にはチューナＢ３３及びＡＤコンバータＢ３２が配設されており、制御回路Ｂ１５の制御により、適正な電圧が電源供給回路Ｂ１６から供給された上で、録画状態となると、チューナＢ３３は、制御回路Ｂ１５から選局情報を受け取った後、アンテナ端子Ｂ３６から同軸ケーブルＢ３５、コネクタＢ３７を介して、地上波信号を受け取り、選局＞増幅＞検波をおこなう。
【００４２】
ＡＤコンバータＢ３２はチューナから同期信号と共に受け取る映像アナログ信号を、ＡＤ変換し、デジタル映像信号をコネクタＢ３８、Ｂ１３を介して動画エンコーダ／デコーダＢ１４に供給する。
【００４３】
以上図１と共に第１の実施形態のブロック構成を説明したが、本ブロック図は非常に簡略化したものであり、たとえば発振回路、リセット回路、オーディオ信号のＡＤ，ＤＡ変換器やイヤーホンなどは当然必要な構成であるが図において省略している。
【００４４】
図３は携帯映像装置Ｂ１での映像再生処理を示すフローチャートである。図において、流れＦ１で再生キーを押すと、流れＦ２で映像再生の中止位置がメモリＢ２４に記憶されているかの判別を行う。中止位置が記憶されている場合は流れＦ４で、中止位置アドレスをメモリＢ２４から呼び出し、ＣＦカードＢ３に記憶されている映像データの再生開始位置を指定する。中止位置が記憶されていない場合は流れＦ３で、ＣＦカードＢ３に記憶されている映像データの再生開始位置を初期化する。
【００４５】
なお本実施形態では、映像再生の中止位置をメモリＢ２４に記憶しているが、ＣＦカードＢ３のファイル管理エリアに記憶しておいてもよい。また、ＣＦカードＢ３に複数映像を記憶している場合は、それぞれの映像に名前をつけて表示することによりユーザが選択出来るようにしておいても良い。
【００４６】
流れＦ５からＦ９は、映像再生を実行する処理ループである。その処理ループの中で流れＦ５とＦ６は映像再生の中止判別であり、流れＦ５において、クレードルが接続されたかどうかの判別を行っている。
【００４７】
本実施形態では、映像再生中にクレードルＢ２が接続されている場合は映像再生を中断し、流れＦ４０で中止位置をメモリＢ２５に記憶し、録画処理へジャンプするよう制御している。
【００４８】
図２と共に説明したように、本実施形態ではキーボードＢ１２上に録画キーを配設しておらず、携帯映像装置Ｂ１がクレードルＢ２に接続されることにより録画処理を実行するようにしている。
【００４９】
流れＦ６では中止キーが押されたかどうかの判別を行う。映像再生中に中止キーが押された場合は流れＦ４１へと進み、表示をＯＦＦした後、流れＦ４２で映像再生の中止位置をメモリＢ２５に記憶し、処理を終了する。
【００５０】
流れＦ７でＣＦカードＢ３に記憶されている、圧縮された映像データをフレームごとに呼び出しメモリＢ２４に格納する。流れＦ８で動画エンコーダ／デコーダＢ１４により、圧縮データの伸長処理を行い、流れＦ９で表示器Ｂ１１への映像表示処理を行う。
【００５１】
ＭＰＥＧ４フォーマットで圧縮された映像データは、静止画と同様に圧縮された独立した画像フレームである、いわゆるＩフレームと、前後のＩフレームとの差を抽出して圧縮処理する、いわゆるＰフレーム及びＢフレームがあり、Ｐフレームおよび、Ｂフレームの圧縮映像データを伸長するとき、前後に存在するＩフレームとの合成処理をする必要がある。メモリＢ２４は伸長処理において、バッファメモリとして前後のＩフレームなどを記憶するのにも用いられる。
【００５２】
以上説明したように流れＦ５からＦ９を繰り返すことにより、圧縮された映像の伸長処理を行いながら表示器Ｂ１１に表示して、映像再生を可能にしている。
【００５３】
図１２はキーボードＢ１２の設定キーを操作したときの処理の流れを示している。図において、流れＦ９０で設定キーを押すと、流れＦ９１で地上波ＴＶ放送のチャンネル指定としての選局処理を行う。
【００５４】
流れＦ９２は「＜」キーまたは、「＞」キーが押されたかどうかの判別である。毎朝決まった時間に録画処理をする場合「＜」キーを押して流れＦ９４に進み、その指定時間などの設定を行う。
【００５５】
時間指定を行わない場合は、「＞」キーを押して流れＦ９３へ進み、変数Ｌを“０”にセットする。携帯映像装置Ｂ１がクレードルに差し込まれることにより、映像録画を開始する設定となる。
【００５６】
流れＦ９４で録画開始時間の入力を行い、流れＦ９５で録画終了時間の入力を行う。流れＦ９６は録画曜日の指定である。流れＦ９７では変数Ｌを“１”にセットし、時間指定により映像録画する設定となる。
【００５７】
流れＦ９８で設定した内容をメモリＢ２４に記憶し終了する。
なお本実施形態では、地上波放送のチャンネル及び時間曜日などの設定を行っているが、それ以外の設定として、映像録画時の明るさ、輝度、ファインモードなどの画質の指定なども設定しても良い。
【００５８】
図４は携帯映像装置Ｂ１およびクレードルＢ２により行う映像録画処理を示すフローチャートである。図において流れＦ１０で携帯映像装置Ｂ１がクレードルＢ２に接続されると、流れＦ１１で変数Ｌが“０”かどうかの判別を行う。変数Ｌが“０”であれば時間指定していないことであり、流れＦ１３へと進む。
【００５９】
流れＦ１２は変数Ｌが“１”の場合の処理であり、指定時間になるまで待つ処理を行う。
流れＦ１３で外部電源が接続されているかの判別を行い、外部電源が接続されていない場合はエラーと判断し、流れＦ１４でエラー表示を行い終了する。
流れＦ１５で表示器Ｂ１１のバックライトの消灯処理を、バックライト回路Ｂ２３を制御して行う。
【００６０】
録画時にはクレードルＢ２内の素子であるチューナやＡＤコンバータに多くの電流が必要となり、それに加えてバックライトが点灯していると、電源回路Ｂ１９から多大な電流を出力することになり、それを制限し、電源回路を小型にするために流れＦ１５にて、バックライト消灯を行っている。
【００６１】
流れＦ１６で電源供給回路Ｂ１６を能動としてクレードルの素子であるチューナやＡＤコンバータなどに必要な電圧の供給を行う。
流れＦ１７で、図１２の設定処理でメモリＢ２４に記憶した、チャンネル情報を制御回路Ｂ１５の処理により、チューナへ供給する。これによりチューナＢ３３は選局可能となり、選局＞増幅＞検波を行って、アナログ映像信号を出力する。
【００６２】
なお本実施形態では行っていないが、検波後のアナログ映像信号が一定レベル以上の電圧でないことを検出して、アンテナ信号がきていないことを判別しエラー処理を行うようにしても良い。
【００６３】
流れＦ１８で変数ｎを“０”にセットする。後述する流れＦ２３以降での警告処理に用いられる。
流れＦ１９でＡＤコンバータＢ３２により、アナログ映像信号のデジタル化を行う。このデジタル化処理では、映像信号の同期信号として水平同期信号、垂直同期信号を検出して、映像の水平方向の切れ目や、１フレームの映像の切れ目を指し示すようにしている。
【００６４】
デジタル化された映像信号は、ＡＤコンバータＢ３２から動画エンコーダ／デコーダＢ１４へと出力され、流れＦ２０でＭＰＥＧ４圧縮処理を行う。動画エンコーダ／デコーダＢ１４は圧縮処理として、１フレームごとにＩフレーム、Ｐフレーム、またはＢフレームに圧縮し、流れＦ２１にてＣＦカードＢ３に記憶する。
【００６５】
流れＦ２２でクレードルＢ２が携帯映像装置Ｂ１に接続されているかの判別を行い、接続されてない場合は、流れＦ１４へと進みエラー処理を行う。
なお、本実施形態では流れＦ２２の判別で、クレードルが接続検出できないと、エラー処理に進んでいるが、別の方法として、流れＦ２７に進み警告処理を行っても良い。
【００６６】
流れＦ２３で外部電源であるチャージャＢ２５から電圧が供給されているかの検出を、外部電源検出回路Ｂ１７にて行い、検出の結果供給されてない場合は流れＦ２７と進み警告処理を行う。
【００６７】
流れＦ２４で中止キーが押されたかどうかの検出を行い、押された場合は流れＦ２５以降の終了処理を実行する。流れＦ３２で終了時間かの判別を行い、録画終了時間になれば、流れＦ２５以降の終了処理を実行する。
録画中は、流れＦ１８からＦ３２を繰り返して、受信した映像の選局＞デジタル化＞圧縮処理＞ＣＦカードへの記憶処理を繰り返す。
【００６８】
流れＦ２５，Ｆ２６は録画終了処理である。流れＦ２５で、電源供給回路Ｂ１６をＯＦＦ状態にして、クレードルへの電圧供給を停止し、流れＦ２６で、終了表示を行う。
流れＦ２７以降の処理は、録画状態になったにもかかわらず外部電源がはずされたときの警告処理である。流れＦ２７で変数ｎが“１”にセットされているかの判別を行う。
変数ｎが“０”の場合は流れＦ２８で、警告表示を行い、流れＦ２９で制御回路Ｂ１５内にあるタイマーをスタートさせる。このタイマーは、携帯映像装置Ｂ１内の電池Ｂ１８の電源供給により録画処理を実行する一定時間をカウントするタイマーである。
【００６９】
流れＦ３０で変数ｎを“１”にセットした後、録画処理を継続実行するため流れＦ１９へと進む。
流れＦ２７で変数ｎが“１”の場合は、流れＦ２８以降の処理を実行済みであり、タイマーがスタートしていることを示し、流れＦ３１でタイマーの値が一定値Ｍ以上であるかの判別を行う。一定値Ｍ以下であれば、録画処理を継続実行するため流れＦ１９へ進み、一定値Ｍ以上であれば終了処理として流れＦ２５へと進む。
【００７０】
流れＦ２７からＦ３１の処理で、操作者の不注意により外部電源を抜いてしまった時でも一定時間（たとえば５分程度）録画の継続が可能であり、操作者の不注意による録画の中断を防いでいる。
【００７１】
なお、本実施形態では、外部電源がなくなったことを表示器Ｂ１１に警告表示するようにしているが、ブザーによる警告音でもよく、携帯映像装置Ｂ１内にスピーカを設けて、音声合成による警告でも良い。
また、タイマーの値が一定値Ｍに近づくと、ブザー音を変えるなどの警告の内容を変えるようにしても良い。
本実施形態ではタイマーと比較する値を一定値Ｍとしているが、携帯映像装置Ｂ１内の電池Ｂ１８の充電状態に応じてタイマーと比較する値Ｍを変更しても良い。
【００７２】
以上第１の実施形態について説明した。なお本実施形態においてチューナＢ３３がＶＨＦやＵＨＦの地上波放送における実施形態を示しているが、ケーブルテレビや衛星放送用のチューナでも良く、またデジタル放送においてのチューナでもよい。
【００７３】
本実施形態の特徴として、図１と共に説明したように、クレードルＢ２には電源回路がなく、従ってチャージャＢ２５からのＤＣ電源はそのまま携帯映像装置Ｂ１に供給され、クレードル用を含む全ての電源は携帯映像装置Ｂ１にて発生される。同様にクレードルＢ２には録画制御のための動画エンコーダ、制御回路やメモリがなく、携帯映像装置Ｂ１にて動画圧縮、処理制御及び情報の記憶を行っており、本発明の第１の目的のひとつである、部品の重複をなくしている。
【００７４】
クレードルＢ２への電源供給は、電源供給回路Ｂ１６を制御することにより、携帯映像装置Ｂ１からクレードルＢ２へ供給される。従ってクレードルＢ２に供給される電源は、内部素子であるチューナＢ３３やＡＤコンバータＢ３２が機能するときの、録画状態のときのみ供給するだけでよく、本発明の第２の目的である録画のためのユニットであるクレードルの消費電力の軽減を可能にしている。
【００７５】
図４と共に説明したように、録画中に外部電源が供給されなくなると、流れＦ２７以降の処理で一定時間警告を操作者に促すようにしている。これは第３の目的である、操作者の不注意により外部電源が抜き取られた場合、録画処理に与える不具合を解消している。
【００７６】
また、操作者は携帯映像装置Ｂ１をクレードルＢ２に装着するだけで録画処理をスタート可能となる。これは第４の目的である、録画時における操作の煩わしさを軽減するものである。
【００７７】
（第２の実施形態）
図６は本発明の第２の実施形態における、携帯映像装置Ｂ５１と光学ユニットＢ５０の接続形態を示す模式図である。本実施形態における携帯映像装置Ｂ５１は、光学ユニットＢ５０を接続することにより、静止画像または動画像を光学的に取り込み、光電変換すると共に、圧縮処理をすることで記憶できるようにしている。
【００７８】
動画像を取り込む際は、内部電池のみでは長時間録画できないため、外部電池Ｂ５８を接続したときに動画像を長時間録画できるようにしている。なお本実施形態において外部電池Ｂ５８は、ケーブルにて光学ユニットＢ５０に接続するような構成にしているが、光学ユニットにはめ込む、あるいはスライドして一体化するような構成にしコネクタで外部電池の電圧を供給するような構造にしても良い。
【００７９】
また外部電池Ｂ５８は図に示すように、光学ユニットＢ５０に接続できると共に、携帯映像装置Ｂ５１にも接続可能であり、長時間の映像を見るときに、外部電池Ｂ５８を用いて行うことができる。なお、図示していないが外部電池Ｂ５８はチャージャにて充電可能である。
【００８０】
光学ユニットＢ５０はレンズＢ５２で取り込む光学映像を、内部の光電変換素子、ＡＤコンバータにより、デジタル映像信号に変換し、Ｂ５３の挿入部内にあるコネクタに出力する。Ｂ６２は光学ユニットの回転部分であり、被写体の向きに応じてレンズの向きを変えることが可能な構造にしている。
【００８１】
Ｂ５１は携帯映像装置であり、光学ユニットＢ５０からの静止画または動画のデジタル映像信号を受信して、データ圧縮処理を行い、外部記憶メモリであるＳＤカードＢ５５に記憶する。
【００８２】
携帯映像装置Ｂ５１は、表示器Ｂ５６及びキーボードＢ５７を具備しており、ＳＤカードＢ５５に記憶された、圧縮された静止画または動画データを内部回路の処理により伸長して、表示器Ｂ５６に映像の再生表示する。
【００８３】
キーボードＢ５７は録画、再生を操作者が指示する録画、再生キー、録画または再生処理を中止する中止キー、静止画と動画のモードを切り替えるモードキー、静止画を撮影する際に用いるシャッターを配設する。
【００８４】
図７は本実施形態における携帯映像装置Ｂ５１および光学ユニットＢ５０のブロック図を示している。なお、図７において、第１の実施形態で示した図１のシステムと対応するブロックは同一の符号をつけてその詳細な説明は省略する。
【００８５】
図において表示器Ｂ５６は静止画像、動画像やメッセージを表示する液晶表示器（ＬＣＤ）である。ＳＤカードＢ５５はフラッシュメモリを内蔵した書き換え可能な記憶メディアの一種であり、ＳＤカードコネクタＢ６４に接続可能となっている。映像の再生時には、ＳＤカードＢ５５に記憶されている圧縮映像データを、Ｂ６３の静止画／動画エンコーダ／デコーダにて、圧縮画像データの伸長処理が行い、表示器Ｂ５６に映像表示する。
【００８６】
また、映像録画するときは、光学ユニットＢ５０からの圧縮されていない映像データを静止画／動画エンコーダ／デコーダＢ６３にて受信し、ＭＰＥＧ４の圧縮技術に従った処理を実行し、ＳＤカードＢ５５に圧縮データを記憶する。
【００８７】
キーボードＢ５７上には図６と共に説明したキーが配設されており、ユーザによりキーが押されると、キー信号を発生し制御回路Ｂ１５に伝達する。Ｂ１９は電源回路であり、外部電池Ｂ５８から、あるいは電池Ｂ１８からの電圧供給を受け、携帯映像装置Ｂ５１内の素子に最適な電圧の供給を行う。Ｂ１７は外部電池Ｂ５８の電圧が電源回路Ｂ１９に供給されているかどうかを検出している外部電源検出回路であり、制御回路Ｂ１５に検出結果を伝達する。
【００８８】
制御回路Ｂ１５はその検出結果に基づき、長時間録画を行うかどうかの判別を行う。電源供給回路Ｂ１６は、光学ユニットＢ５０に必要な電圧を供給するための回路である。
【００８９】
光学ユニットＢ５０にはレンズＢ５２、ＣＣＤ（Ｂ５９）及びＡＤコンバータＢ３２が配設されており、制御回路Ｂ１５の制御により、適正な電圧が供給された上で、録画状態となると、Ｂ５９のＣＣＤは、レンズＢ５２を介して受け取った光学画像を光電変換して、映像アナログ信号としてＡＤコンバータＢ３２に出力する。
【００９０】
ＡＤコンバータＢ３２はＢ５９のＣＣＤから同期信号と共に受け取る映像アナログ信号を、ＡＤ変換し、デジタル映像信号をコネクタＢ６１、Ｂ６０を介して静止画／動画エンコーダ／デコーダＢ６３に供給する。
【００９１】
以上図７と共に第２の実施形態のブロック構成を説明したが、本ブロック図は非常に簡略化したものであり、たとえば発振回路、リセット回路、オーディオ信号のＡＤ，ＤＡ変換器やイヤーホン、マイクなどは必要な構成であるが図において省略している。
【００９２】
図８は本実施形態における録画時の処理手順を示すフローチャートである。図において、流れＦ５０で録画キーを押すと、流れＦ５１で光学ユニットＢ５０が接続されているかの判別を行う。この判別で光学ユニットが接続されてない場合はエラーと判断し、流れＦ６８でエラー処理（エラー表示）を行い、録画処理を終了する。
【００９３】
流れＦ５２で表示器Ｂ１１のバックライトの消灯処理を、バックライト回路Ｂ２３を制御して行う。録画時には光学ユニットＢ５０内の素子であるＣＣＤやＡＤコンバータに多くの電流が必要となり、それに加えてバックライトが点灯していると、電源回路Ｂ１９から多大な電流を出力することになる。それを制限するために流れＦ５２にて、バックライト消灯を行っている。
【００９４】
流れＦ５３で電源供給回路Ｂ１６を能動として光学ユニットＢ５０の素子であるＣＣＤやＡＤコンバータなどに必要な電圧の供給を行う。
流れＦ５４で変数ｎを“０”にセットする。後述の流れＦ５６での判別で使用する変数ｎを初期化している。
流れＦ５５で外部電池Ｂ５８から電圧が供給されているかの検出を、外部電源検出回路Ｂ１７にて行い、検出の結果供給されてない場合は流れＦ５６へと進み警告処理を行う。
【００９５】
流れＦ５６からＦ６０の処理は、録画状態になったにもかかわらず外部電池Ｂ５８が接続されていないときの警告処理である。流れＦ５６で変数ｎが“１”にセットされているかの判別を行う。
変数ｎが“０”の場合は流れＦ５８で、警告表示を行い、流れＦ５９で制御回路Ｂ１５内にあるタイマーをスタートさせる。このタイマーは、携帯映像装置Ｂ５１内の電池Ｂ１８の電源供給により録画処理を実行する一定時間（たとえば３０分）をカウントするタイマーである。
【００９６】
流れＦ６０で変数ｎを“１”にセットした後、録画処理を継続実行するため流れＦ６１へと進む。
流れＦ５６で変数ｎが“１”の場合は、流れＦ５８以降の処理を実行済みであり、タイマーがスタートしていることを示し、流れＦ５７でタイマーの値が一定値Ｍ以上であるかの判別を行う。一定値Ｍ以下であれば、録画処理を継続実行するため流れＦ６１へ進み、一定値Ｍ以上であれば終了処理として流れＦ６６へと進む。
【００９７】
流れＦ５５からＦ６０の処理で、操作者が短時間（たとえば３０分程度）録画を行いたいときは外部電池を使用しないで録画可能とし、長時間（たとえば２時間）録画を行いたいときは、警告表示により、外部電池Ｂ５８を接続するように警告することが可能となる。この警告処理を付加する事により、携帯映像装置Ｂ５１内の電池Ｂ１８の容量を少なく設定可能となり、携帯映像装置Ｂ５１の小型化を促進可能となる。
【００９８】
流れＦ６１でＡＤコンバータＢ３２により、アナログ映像信号のデジタル化を行う。このデジタル化処理では、ＣＣＤ（Ｂ５９）からの映像信号の同期信号として、水平同期信号、垂直同期信号を検出して、映像の水平方向の切れ目や、１フレームの映像の切れ目を指し示すようにしている。
【００９９】
デジタル化された映像信号は、ＡＤコンバータＢ３２から静止画／動画エンコーダ／デコーダＢ６３へと出力され、流れＦ６２でＭＰＥＧ４圧縮処理を行う。ＭＰＥＧ４圧縮処理は、１フレームごとにＩフレーム、Ｐフレーム、またはＢフレームに圧縮され、流れＦ６３にてＳＤカードＢ５５に記憶される。
【０１００】
流れＦ６４で、光学ユニットＢ５０が非接続かどうかの判別を行い、非接続であれば流れＦ６８でエラー処理を行い終了する。
流れＦ６５で中止キーが押されたかどうかの検出を行い、押された場合は流れＦ６６以降の終了処理を実行する。中止キーが押されてない場合は、流れＦ５５からＦ６５を繰り返して、ＣＣＤで撮像した映像の、デジタル化＞圧縮処理＞ＳＤカードへの記憶処理を繰り返す。
【０１０１】
流れＦ６６、Ｆ６７は録画終了処理である。
流れＦ６６で、電源供給回路Ｂ１６をＯＦＦ状態にして、光学ユニットＢ５０への電圧供給を停止し、流れＦ６７で、終了表示を行う。
【０１０２】
なお、本実施形態では、流れＦ５８で外部電源がなくなったことを表示器Ｂ５６に警告表示するようにしているが、ブザーによる警告音でもよく、携帯映像装置Ｂ５１内にスピーカを設けて、音声合成による警告でも良い。また、タイマーの値が一定値Ｍに近づくと、ブザー音を変えるなどの警告の内容を変えるようにしても良い。
本実施形態ではタイマーと比較する値を一定値Ｍとしているが、携帯映像装置Ｂ５１内の電池Ｂ１８の充電状態に応じてタイマーと比較する値Ｍを変更しても良い。
【０１０３】
以上第２の実施形態について説明した。本実施形態の特徴として、図７と共に説明したように、光学ユニットＢ５０には電源回路がなく、光学ユニットＢ５０用電源を含む全ての電源は携帯映像装置Ｂ５１にて発生される。同様に光学ユニットＢ５０には録画制御のための制御回路やメモリがなく、携帯映像装置Ｂ５１の制御回路Ｂ１５にて全ての制御及び情報の記憶を行っており、本発明の第１の目的である部品の重複をなくしている。
【０１０４】
光学ユニットＢ５０への電源供給は、電源供給回路Ｂ１６を制御することにより、携帯映像装置Ｂ５１から光学ユニットＢ５０へ供給される。従って光学ユニットＢ５０に供給される電源は、内部素子であるＢ５９のＣＣＤやＡＤコンバータＢ３２が機能するときの、静止画の撮影時や、動画の録画時のときのみ供給するだけでよく、本発明の第２の目的である録画のためのユニットである光学ユニットＢ５０の消費電力の軽減を可能にしている。
【０１０５】
（第３の実施形態）
図９は本発明の第３の実施形態における、携帯映像装置Ｂ１とクレードルＢ２の接続形態を示す模式図である。本実施形態における携帯映像装置Ｂ１は、クレードルＢ２を接続することにより、地上波の映像信号を入手して、圧縮処理をすることで記憶できるようにしている。加えて、コンテンツ提供者からのコンテンツをインターネット経由で受信し、そのコンテンツを記憶できるようにしている。
【０１０６】
たとえばその日のニュース、株式情報、テレビ番組のリストなどコンテンツ提供端末で用意しておき、毎日朝の早い時間に携帯映像装置及びクレードルからアクセスし、コンテンツを取り込むようにしておけば、地上波放送で提供されない情報を、携帯映像端末を携帯するユーザは隙間時間（たとえば通勤時間、待ち合わせ時間など）に見ることが可能となる。なお、図において、第１の実施形態と共に説明した図２と同様の構成の部分は同一番号で示している。
【０１０７】
図においてＢ１は携帯映像装置であり、メモリカードの一種類であるＣＦカードＢ３を装着するスロットを具備し、キーボードＢ１２の再生キーを押すことにより、内部回路の回路を駆動開始し、ＣＦカードＢ３に記憶されている圧縮された映像を伸長して、表示器Ｂ１１に映像として表示するようにしている。
【０１０８】
キーボードＢ１２上の設定キーは映像録画時におけるチャンネル設定、録画開始・終了時間などの設定、コンテンツ提供端末の電話番号の設定などをするためのキーである。「＜＜」、「＜」、「＞」、「＞＞」キーは映像情報の再生時に巻戻し及び早送りを実行する。また地上波映像の録画時にはアンテナ端子からの地上波信号の選局を行うキーである。また設定キーと共に、コンテンツ提供端末の電話番号を入力するためにも用いるキーである。受信キーは、コンテンツを受信するためのキーである。
【０１０９】
Ｂ１３はクレードルＢ２との接続のためのコネクタである。Ｂ２１はチャージャＢ２５により作られたＤＣ電源を、クレードルＢ２の電源端子Ｂ３９を介して受け取るリセプタクルである。
【０１１０】
クレードルＢ２において、アンテナ端子Ｂ３６からの地上波信号を、同軸ケーブルＢ３５を介して受け取るコネクタＢ３７を具備し、携帯映像装置Ｂ１からの指令により、内部回路のチューナなどの回路を能動にして、選局＞増幅＞検波を行う。また得られた映像アナログ信号をデジタル化して本体の携帯映像装置Ｂ１に伝達する。Ｂ３８はその伝達のためのコネクタである。
【０１１１】
またクレードルＢ２は、コンテンツ提供端末Ｂ７４からネットワークＢ７３を介して、電話回線用端子Ｂ７２に供給されるコンテンツデータを受け取るコネクタＢ７０を具備し、モデム回路により変調を行って、本体の携帯映像装置Ｂ１にコネクタＢ３８経由で伝達する。
【０１１２】
Ｂ２５はチャージャであり、供給されるＡＣ電源を低電圧のＤＣ電源に変換して、電源端子Ｂ３９に供給する。またチャージャＢ２５は図に示すように、クレードルＢ２に接続できると共に、携帯映像装置Ｂ１のリセプタクルＢ２１にも接続可能であり、チャージャＢ２５を用いて長時間の映像を見ることができる。
【０１１３】
図１０は本実施形態における携帯映像装置Ｂ１およびクレードルＢ２のブロック図を示している。なお第１の実施形態で説明した図１と対応するブロックには、同一符号をつけてその詳細な説明は省略する。
【０１１４】
図において、ＣＦカードＢ３は、ＣＦカードコネクタＢ１３に接続可能となっている。映像の再生時には、ＣＦカードＢ３に記憶されている圧縮映像データを、Ｂ１４の動画エンコーダ／デコーダにて、圧縮映像データの伸長処理が行い、表示器Ｂ１１に映像表示する。
【０１１５】
また、映像録画するときは、クレードルＢ２からの圧縮されていない地上波放送の映像データを動画エンコーダ／デコーダＢ１４にて受信し、ＭＰＥＧ４の圧縮技術に従った処理を実行し、ＣＦカードＢ３に圧縮データを記憶する。
【０１１６】
コンテンツ供給端末Ｂ７４からのコンテンツを記憶するときは、クレードルＢ２から圧縮されたデータを受け取り、制御回路Ｂ１５の制御により、ＣＦカードＢ３に記憶する。
【０１１７】
キーボードＢ１２上には図９と共に説明したキーが配設されており、ユーザによりキーが押されると、キー信号を発生し制御回路Ｂ１５に伝達する。クレードルＢ２にはチューナＢ３３及びＡＤコンバータＢ３２が配設されており、制御回路Ｂ１５の制御により、適正な電圧が供給された上で、録画状態となると、チューナＢ３３は、制御回路Ｂ１５から選局情報を受け取った後、アンテナ端子Ｂ３６から同軸ケーブルＢ３５、コネクタＢ３７を介して、地上波信号を受け取り、選局＞増幅＞検波をおこなう。
【０１１８】
ＡＤコンバータＢ３２はチューナＢ３３から同期信号と共に受け取る映像アナログ信号を、ＡＤ変換し、デジタル映像信号をコネクタＢ３８、Ｂ１３を介して動画エンコーダ／デコーダＢ１４に供給する。
【０１１９】
本実施形態では第１の実施形態と異なり、クレードルＢ２内にモデムＢ７５を具備している。本体の携帯映像装置Ｂ１の制御回路Ｂ１５からアクセス信号（電話番号あるいはネットワークアドレス）がモデムＢ７５に供給されると、電話回線に接続可能な信号にモデムＢ７５が変換して、コンテンツ供給端末Ｂ７４にアクセスする。
【０１２０】
コンテンツ提供端末Ｂ７４からのコンテンツ情報はＭＰＥＧ４規格等で圧縮済みのデータであり、モデムＢ７５に入力され、変調及びデジタル化の処理を行った後、携帯映像装置Ｂ１の制御回路Ｂ１５に出力され、その制御によりＣＦカードＢ３に記憶される。Ｂ７２は電話線のコネクタであり、電話線ケーブルＢ７１を介してクレードルＢ２のコネクタＢ７０に接続する。
【０１２１】
以上図１０と共に第３の実施形態のブロック構成を説明したが、本ブロック図は非常に簡略化したものであり、たとえば発振回路、リセット回路、オーディオ信号のＡＤ，ＤＡ変換器やイヤーホンなどは当然必要な構成であるが図において省略している。
【０１２２】
図１１は携帯映像装置Ｂ１でのコンテンツ受信処理を示すフローチャートである。図において、流れＦ７１で受信キーを押すと、流れＦ７２でクレードルが接続されているかの判別を行う。この判別で外部電源またはクレードルのいずれかが接続されていない場合はエラーと判断し、流れＦ１４でエラー表示を行い終了する。
【０１２３】
流れＦ７３で表示器Ｂ１１のバックライトの消灯処理を、バックライト回路Ｂ２３を制御して行う。
流れＦ７４で電源供給回路Ｂ１６を能動としてクレードルの素子であるモデムＢ７５に必要な電圧の供給を行う。
流れＦ７５で流れＦ２２以降に使用される変数ｎを“０”にセットする。
流れＦ７６で、制御回路Ｂ１５の処理により、電話番号などのアクセス情報をモデムＢ７５へ供給する。
流れＦ７７でモデムＢ７５の出力を、コネクタＢ７０から出力して回線接続し、インターネットＢ７３経由でコンテンツ提供端末をアクセスし、これによりモデムＢ７５はコンテンツ情報の入手が可能となる。
流れＦ７８で電話回線経由して入手したコンテンツ情報を、モデムＢ７５により変調処理などを行って、デジタル圧縮された映像コンテンツ、静止画、文章などを携帯映像端末Ｂ１に出力する。
なお本実施形態では行っていないが、一定時間コンテンツ提供端末からの応答がない場合にエラー処理を行うようにしても良い。
【０１２４】
流れＦ７９で制御回路Ｂ１５の制御により、コンテンツ情報をＣＦカードＢ３に記憶する。
流れＦ２２から流れＦ３１は、図４と共に説明した第１の実施形態と同一の処理であるため、説明を省略する。このＦ２２からＦ３１の処理においては外部電源がないときに、タイマーを用いて一定時間（たとえば５分）警告処理を行いながら、流れＦ７６からＦ７９を繰り返して、コンテンツ情報の受信を行う。
【０１２５】
以上第３の実施形態について説明した。本実施形態においては、基本的な部分は第１の実施形態と同様であり、図１０に示すように、本発明第１の目的のひとつである、部品の重複をなくしており、また第２の目的である、録画のためのユニットであるクレードルの消費電力の軽減を可能にしている。
【０１２６】
また図１１と共に説明したように、コンテンツデータ受信中に外部電源が供給されなくなると、流れＦ２７以降の処理で一定時間警告を操作者に促すようにしている。これは第３の目的である、操作者の不注意により外部電源が抜き取られた場合、受信処理に与える不具合を解消している。
【０１２７】
また、操作者は携帯映像装置Ｂ１をクレードルＢ２に装着して受信キーを押すだけでコンテンツの受信処理がスタート可能となる。これは第４の目的である、受信処理などの時における操作の煩わしさを軽減するものである。
【０１２８】
以上説明したように、第１〜第３の実施形態によれば、携帯映像装置と接続装置と外部電源で構成される携帯映像機器システムにおいて、映像録画などに必要な部品を接続装置に配設することにより、携帯映像装置の小型化を実現可能としている。
【０１２９】
また、電源回路、制御回路などを携帯映像装置にのみ具備して、携帯映像装置から接続装置に電源、制御信号などを供給することにより、携帯装置と接続装置間の部品の重複をなくすようにしている。
【０１３０】
また、携帯映像装置の制御により、接続装置への電源供給は、接続装置が機能する録画時等の時にのみ行うようにして、接続装置の消費電力低減、特にスタンバイ時の消費電力の低減を可能としている。
【０１３１】
また、携帯映像装置の制御により、外部電源が録画処理時などに非接続になったときに、警告処理を行い、操作者に注意を促すことを可能にしている。
【０１３２】
また、携帯映像装置を接続装置に接続することにより、映像録画を開始する機能を施しているので、録画時などの操作の煩わしさを軽減している。
【０１３３】
本実施形態は、コンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムを記録したコンピュータ読み取り可能な記録媒体等のコンピュータプログラムプロダクトも本発明の実施形態として適用することができる。上記のプログラム、記録媒体、伝送媒体及びコンピュータプログラムプロダクトは、本発明の範疇に含まれる。記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１３４】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【０１３５】
本発明の実施態様の例を以下に列挙する。
【０１３６】
［実施態様１］携帯機器と、前記携帯機器に着脱可能な接続装置とを有する携帯機器システムであって、
前記携帯機器は、
電池と、
外部電源又は前記電池から電圧供給を受けて電圧を生成する電源回路と、
信号の制御を行う制御回路とを有し、
前記接続装置は、
外部から供給される信号を入力する信号入力手段を有し、
前記携帯機器及び前記接続装置が接続されているときには、前記携帯機器内の電源回路は、前記携帯機器内の制御回路及び前記接続装置内の信号入力手段に電圧を供給し、前記制御回路は前記信号入力手段が入力する信号の制御を行い、
前記携帯機器が前記接続装置に接続されていないときには、前記携帯機器内の電源回路は、前記携帯機器内の制御回路に電圧を供給し、前記制御回路は信号の制御を行うことを特徴とする携帯機器システム。
【０１３７】
［実施態様２］前記携帯機器は、さらにメモリカードと表示器とを有し、前記メモリカードに記憶されたデータを前記表示器上に表示することを特徴とする実施態様１記載の携帯機器システム。
【０１３８】
［実施態様３］前記信号入力手段に外部から供給される信号が複数チャンネル存在するとき、前記携帯機器の前記制御手段は、所望のチャンネルを選択する選択信号を前記信号入力手段に供給することを特徴とする実施態様１記載の携帯機器システム。
【０１３９】
［実施態様４］さらに、外部電源が接続されているか否かを検出する外部電源検出回路を有し、
前記電源回路は、外部電源が接続されていることが検出されると、外部電源を基に前記接続装置内の信号入力手段へ電源供給を行うことを特徴とする実施態様１記載の携帯機器システム。
【０１４０】
［実施態様５］前記接続装置内の信号入力手段は、外部信号としてアナログ信号を取り込み、デジタル信号に変換することを特徴とする実施態様１記載の携帯機器システム。
【０１４１】
［実施態様６］前記接続装置内の信号入力手段は、外部信号を光学的に取り込み、デジタル電気信号に変換することを特徴とする実施態様１記載の携帯機器システム。
【０１４２】
［実施態様７］前記電源回路は、外部電源が接続されていないことが検出されると、前記電池を基に前記接続装置内の信号入力手段へ電源供給を行うことを特徴とする実施態様４記載の携帯機器システム。
【０１４３】
［実施態様８］さらに、外部電源が接続されていないことが検出されると警告処理を行う警告手段を有する実施態様７記載の携帯機器システム。
【０１４４】
［実施態様９］外部電源が接続されていないことが検出されると、前記電源回路は所定時間経過後に前記接続装置内の信号入力手段への電源供給を停止し、前記制御回路は信号制御を終了することを特徴とする実施態様７記載の携帯機器システム。
【０１４５】
［実施態様１０］前記信号入力手段は、チューナとアナログデジタル変換手段とを有することを特徴とする実施態様１記載の携帯機器システム。
【０１４６】
［実施態様１１］前記信号入力手段は、モデム回路を有することを特徴とする実施態様１記載の携帯機器システム。
【０１４７】
［実施態様１２］前記制御回路は動画圧縮伸長手段を有し、
前記動画圧縮伸長手段は、前記携帯機器及び前記接続装置が相互に接続されたか否かに応じて、動画圧縮又は動画伸長を行うことを特徴とする実施態様１記載の携帯機器システム。
【０１４８】
［実施態様１３］前記動画圧縮伸長手段が動画伸長を実行中に、前記携帯機器及び前記接続装置が相互に接続されると、動画伸長の実行を中止すると共に、動画伸長の中止位置を記憶することを特徴とする実施態様１２記載の携帯機器システム。
【０１４９】
実施態様１及び２に記載の携帯機器システムは、電源回路を携帯機器（Ｂ１）にのみ具備することが可能となり、本発明第１の目的のひとつである部品の重複を、少なくできる。また第２の目的の接続装置（Ｂ２）における非動作時の消費電力の軽減が可能となる。
【０１５０】
実施態様３に記載の携帯機器システムは、制御回路（Ｂ１５）を携帯機器（Ｂ１）のみ具備することが可能となり、第１の目的のひとつである部品の重複を少なくできる。
【０１５１】
実施態様４に記載の携帯機器システムは、接続装置（Ｂ２）には、信号入力するときのみ電力が供給されることになり、本発明第２の目的としての、接続装置（Ｂ２）の特にスタンバイ時の、消費電力低減を可能としている。
【０１５２】
実施態様５に記載の携帯機器システムは、第１の目的のひとつである、携帯機器の小型軽量化を可能としている。
【０１５３】
実施態様６に記載の携帯機器システムは、第１の目的のひとつである、携帯機器の小型軽量化を可能としている。
【０１５４】
実施態様７〜９に記載の携帯機器システムは、信号入力中に外部電源から電力供給されなくなっても、録画処理など即座に中断されてしまう不具合を解消し、ユーザに知らしめるための警告処理を実行可能となり、本発明の第３の目的である、録画処理時等に与える不具合が、解消できる。
【０１５５】
実施態様１２に記載の携帯機器システムは、動画圧縮伸長手段を携帯機器（Ｂ１）にのみ具備することが可能となり、第１の目的のひとつである、部品の重複を、少なくできる。また、携帯機器と接続手段が接続されたことを検出することにより、動画伸長手段を起動可能となり、本発明の第４の目的である、録画実行時の煩わしさを軽減できる。
【０１５６】
実施態様１３に記載の携帯機器システムは、動画再生が、録画するために中断しても中止した位置からの再生が可能となる。
【０１５７】
【発明の効果】
以上説明したように、本発明によれば、電源回路を携帯機器にのみ具備することが可能となり、部品の重複を少なくできる。また、接続装置における非動作時の消費電力の軽減が可能となる。
【図面の簡単な説明】
【図１】第１の実施形態における携帯映像システムのブロック図である。
【図２】第１の実施形態における携帯映像装置とクレードルの構成を示す模式図である。
【図３】第１の実施形態における映像再生処理の流れを示すフローチャートである。
【図４】第１の実施形態における映像録画処理の流れを示すフローチャートである。
【図５】従来例における携帯映像システムのブロック図である。
【図６】第２の実施形態における携帯映像装置とクレードルの構成を示す模式図である。
【図７】第２の実施形態における携帯映像システムのブロック図である。
【図８】第２の実施形態における映像再生処理の流れを示すフローチャートである。
【図９】第３の実施形態における携帯映像装置とクレードルの構成を示す模式図である。
【図１０】第３の実施形態における携帯映像システムのブロック図である。
【図１１】第３の実施形態における映像再生処理の流れを示すフローチャートである。
【図１２】第１の実施形態での録画に関する設定処理の流れを示すフローチャートである。
【符号の説明】
Ｂ１  携帯映像装置
Ｂ２  クレードル
Ｂ３  ＣＦカード
Ｂ１２    キーボード
Ｂ１１    表示器
Ｂ１３    コネクタ
Ｂ１４    動画エンコーダ／デコーダ
Ｂ１５    制御回路
Ｂ１６    電源供給回路
Ｂ１７    外部電源検出回路
Ｂ１８    電池
Ｂ１９    電源回路
Ｂ２０    クレードル検出端子
Ｂ２１    リセプタクル
Ｂ２２    抵抗
Ｂ２３    バックライト回路
Ｂ２４    メモリ
Ｂ２５    チャージャ
Ｂ２６    ジャック
Ｂ２７    電源端子
Ｂ２９    タイマー
Ｂ３２    ＡＤコンバータ
Ｂ３３    チューナ
Ｂ３５    同軸ケーブル
Ｂ３６    アンテナ端子
Ｂ３７    コネクタ
Ｂ３８    コネクタ
Ｂ３９    電源端子
【図１】
2004153443.tif 000003
【図２】
2004153443.tif 000004
【図３】
2004153443.tif 000005
【図４】
2004153443.tif 000006
【図５】
2004153443.tif 000007
【図６】
2004153443.tif 000008
【図７】
2004153443.tif 000009
【図８】
2004153443.tif 000010
【図９】
2004153443.tif 000011
【図１０】
2004153443.tif 000012
【図１１】
2004153443.tif 000013
【図１２】
2004153443.tif 000014